(57)【要約】      （修正有）【課題】１つの送受信装置から複数の送受信装置にデータを無線で送信する場合、１つの通信方式で送る場合と比較して送信待ち時間を短縮することができる送受信装置、送受信システム及びプログラムを提供する。【解決手段】送受信装置（端末装置）１２は、第１の通信方式で通信する第１の通信手段と、第１の通信方式よりも指向性があり、且つ高速である第２の通信方式で通信する第２の通信手段と、第２の通信手段によりデータを第１の対象機器１４ａに送信し、第１の対象機器１４ａからデータの送信確認を受信した後、第２の通信手段によりデータを第２の対象機器１４ｂに送信し、その後第１の対象機器１４ａに設けられた記憶装置にデータが誤り無く記憶されたか否かを示す記憶確認情報を、第１の通信手段により受信するように制御する制御手段と、を有する。【選択図】図１
2020057909.tif 000002
【特許請求の範囲】
【請求項１】
第１の通信方式で通信する第１の通信手段と、
前記第１の通信方式よりも指向性があり、且つ高速である第２の通信方式で通信する第２の通信手段と、
前記第２の通信手段によりデータを第１の対象機器に送信し、前記第１の対象機器からデータの送信確認を受信した後、前記第２の通信手段によりデータを第２の対象機器に送信し、その後前記第１の対象機器に設けられた記憶装置にデータが誤り無く記憶されたか否かを示す記憶確認情報を、前記第１の通信手段により受信するように制御する制御手段と、
を有する送受信装置。
【請求項２】
前記制御手段は、第１の対象機器に送信するデータに前記第１の通信方式の認証情報を合わせて送信するように制御する請求項１記載の送受信装置。
【請求項３】
前記制御手段は、第２の対象機器に送信するデータに前記第１の通信方式の認証情報を合わせて送信するように制御する請求項１又は２記載の送受信装置。
【請求項４】
第１の通信方式で通信する第１の通信手段と、
前記第１の通信方式よりも指向性があり、且つ高速である第２の通信方式で通信する第２の通信手段と、
送信されたデータを記憶する記憶手段と、
前記第２の通信手段によりデータを端末装置から受信し、データの受信確認を前記端末装置に送信した後、前記記憶装置にデータが誤り無く記憶されたか否かを示す記憶確認情報を、前記第１の通信手段により前記端末装置に送信ように制御する制御手段と、
を有する送受信装置。
【請求項５】
前記制御手段は、前記端末装置から送信されるデータに合わせた前記第１の通信方式の認証情報を受信するように制御する請求４記載の送受信装置。
【請求項６】
データを送受信する端末装置と
前記端末装置との間でデータを送受信する対象機器と、を有し、
前記端末装置及び前記対象機器はそれぞれ、
第１の通信方式で通信する第１の通信手段と、
前記第１の通信方式よりも指向性があり、且つ高速である第２の通信方式で通信する第２の通信手段と、
前記端末装置が前記第１の通信手段によりデータを前記対象機器に送信し、前記対象機器が前記データの受信確認を端末装置に送信した後、前記対象機器に設けられた記憶装置にデータが誤り無く記憶されたか否かを示す記憶確認情報を、前記第１の通信手段により前記端末装置に送信ように制御する制御手段と、
を有する送受信システム。
【請求項７】
データを送受信する端末装置と、
前記端末装置との間でデータを送受信する第１の対象機器及び第２の対象機器と、を有し、
前記端末装置、前記第１の対象機器及び前記第２の対象機器はそれぞれ、
第１の通信方式で通信する第１の通信手段と、
前記第１の通信方式よりも指向性があり、且つ高速である第２の通信方式で通信する第２の通信手段と、
前記端末装置が前記第１の通信手段によりデータを第１の対象機器に送信し、前記第１の対象機器が前記データの受信確認を前記端末装置に送信した後、前記端末装置が前記第２の通信手段によりデータを前記第２の対象機器に送信し、その後前記第１の対象機器が前記第１の対象機器に設けられた記憶装置にデータが誤り無く記憶されたか否かを示す記憶確認情報を、前記第１の通信手段により前記端末装置に送信ように制御する制御手段と、
を有する送受信システム。
【請求項８】
第１の通信方式よりも指向性があり、且つ高速である第２の通信方式でデータを第１の対象機器に送信するステップと、
前記第１の対象機器からデータの送信確認を受信するステップと、
前記第２の通信方式によりデータを第２の対象機器に送信するステップと、
前記第１の対象機器から第１の通信方式により、前記第１の対象機器に設けられた記憶装置にデータが誤り無く記憶されたか否かを示す記憶確認情報を受信するステップと、
をコンピュータに実行させるためのプログラム。
【請求項９】
第１の通信方式よりも指向性があり、且つ高速である第２の通信方式でデータを端末装置から受信するステップと、
データの受信確認を前記端末装置に送信するステップと、
前記第１の通信方式により、記憶装置にデータが誤り無く記憶されたか否かを示す記憶確認情報を前記端末装置に送信するステップと、
をコンピュータに実行させるためのプログラム。
【発明の詳細な説明】
【技術分野】
【０００１】
本発明は、送受信装置、送受信システム及びプログラムに関する。
【背景技術】
【０００２】
特許文献１は、近距離無線通信をする第１の無線モジュールと該第１の無線モジュールより消費電力が小さい第２の無線モジュールを搭載した携帯式電子機器と、前記第１の無線モジュールと通信が可能な第３の無線モジュールと前記第２の無線モジュールと通信が可能な第４の無線モジュールを搭載した前記携帯式電子機器の機能拡張装置が通信する方法であって、前記携帯式電子機器を保持するユーザが前記機能拡張装置に接続された周辺機器に対するデータ転送の適否を物理的に管理できる第１の領域および該第１の領域の外側に前記第１の無線モジュールと前記第３の無線モジュールが通信可能な範囲を含む第２の領域を前記機能拡張装置の周囲に定義するステップと、前記携帯式電子機器が前記第２の領域に存在する離隔状態で前記第１の無線モジュールが停止するステップと、前記携帯式電子機器が前記第２の無線モジュールと前記第４の無線モジュールの通信状態を通じて前記第１の領域に存在する接近状態を検出するステップと、前記接近状態の検出に応じて前記携帯式電子機器が前記第１の無線モジュールを動作させるステップと、前記第１の無線モジュールと前記第３の無線モジュールが接続を確立するステップとを有する方法を開示する。
【先行技術文献】
【特許文献】
【０００３】
【特許文献１】特許第６１５２２４２号公報
【発明の概要】
【発明が解決しようとする課題】
【０００４】
本発明は、端末装置から複数の対象機器にデータを無線で送信する場合、１つの通信方式で送る場合と比較して送信待ち時間を短縮することができる送受信装置、送受信システム及びプログラムを提供する。
【課題を解決するための手段】
【０００５】
請求項１に係る本発明は、第１の通信方式で通信する第１の通信手段と、前記第１の通信方式よりも指向性があり、且つ高速である第２の通信方式で通信する第２の通信手段と、前記第２の通信手段によりデータを第１の対象機器に送信し、前記第１の対象機器からデータの送信確認を受信した後、前記第２の通信手段によりデータを第２の対象機器に送信し、その後前記第１の対象機器に設けられた記憶装置にデータが誤り無く記憶されたか否かを示す記憶確認情報を、前記第１の通信手段により受信するように制御する制御手段と、を有する送受信装置である。
【０００６】
請求項２に係る本発明は、前記制御手段は、第１の対象機器に送信するデータに前記第１の通信方式の認証情報を合わせて送信するように制御する請求項１記載の送受信装置である。
【０００７】
請求項３に係る本発明は、前記制御手段は、第２の対象機器に送信するデータに前記第１の通信方式の認証情報を合わせて送信するように制御する請求項１又は２記載の送受信装置である。
【０００８】
請求項４に係る本発明は、第１の通信方式で通信する第１の通信手段と、前記第１の通信方式よりも指向性があり、且つ高速である第２の通信方式で通信する第２の通信手段と、送信されたデータを記憶する記憶手段と、前記第２の通信手段によりデータを端末装置から受信し、データの受信確認を前記端末装置に送信した後、前記記憶装置にデータが誤り無く記憶されたか否かを示す記憶確認情報を、前記第１の通信手段により前記端末装置に送信ように制御する制御手段と、を有する送受信装置である。
【０００９】
請求項５に係る本発明は、前記制御手段は、前記端末装置から送信されるデータに合わせた前記第１の通信方式の認証情報を受信するように制御する請求４記載の送受信装置である。
【００１０】
請求項６に係る本発明は、データを送受信する端末装置と前記端末装置との間でデータを送受信する対象機器と、を有し、前記端末装置及び前記対象機器はそれぞれ、第１の通信方式で通信する第１の通信手段と、前記第１の通信方式よりも指向性があり、且つ高速である第２の通信方式で通信する第２の通信手段と、前記端末装置が前記第１の通信手段によりデータを前記対象機器に送信し、前記対象機器が前記データの受信確認を端末装置に送信した後、前記対象機器に設けられた記憶装置にデータが誤り無く記憶されたか否かを示す記憶確認情報を、前記第１の通信手段により前記端末装置に送信ように制御する制御手段と、を有する送受信システムである。
である。
【００１１】
請求項７に係る本発明は、データを送受信する端末装置と、前記端末装置との間でデータを送受信する第１の対象機器及び第２の対象機器と、を有し、前記端末装置、前記第１の対象機器及び前記第２の対象機器はそれぞれ、第１の通信方式で通信する第１の通信手段と、前記第１の通信方式よりも指向性があり、且つ高速である第２の通信方式で通信する第２の通信手段と、前記端末装置が前記第１の通信手段によりデータを第１の対象機器に送信し、前記第１の対象機器が前記データの受信確認を前記端末装置に送信した後、前記端末装置が前記第２の通信手段によりデータを前記第２の対象機器に送信し、その後前記第１の対象機器が前記第１の対象機器に設けられた記憶装置にデータが誤り無く記憶されたか否かを示す記憶確認情報を、前記第１の通信手段により前記端末装置に送信ように制御する制御手段と、を有する送受信システムである。
【００１２】
請求項８に係る本発明は、第１の通信方式よりも指向性があり、且つ高速である第２の通信方式でデータを第１の対象機器に送信するステップと、前記第１の対象機器からデータの送信確認を受信するステップと、前記第２の通信方式によりデータを第２の対象機器に送信するステップと、前記第１の対象機器から第１の通信方式により、前記第１の対象機器に設けられた記憶装置にデータが誤り無く記憶されたか否かを示す記憶確認情報を受信するステップと、をコンピュータに実行させるためのプログラムである。
【００１３】
請求項９に係る本発明は、第１の通信方式よりも指向性があり、且つ高速である第２の通信方式でデータを端末装置から受信するステップと、データの受信確認を前記端末装置に送信するステップと、前記第１の通信方式により、記憶装置にデータが誤り無く記憶されたか否かを示す記憶確認情報を前記端末装置に送信するステップと、をコンピュータに実行させるためのプログラムである。
【発明の効果】
【００１４】
請求項１、４又は請求項６から９に係る本発明によれば、端末装置から複数の対象機器にデータを無線で送信する場合、１つの通信方式で送る場合と比較して送信待ち時間を短縮することができる。
【００１５】
請求項２に係る本発明によれば、請求項１に係る本発明の効果に加えて、第１の対象機器に第１の通信方式の認証データを合わせて送信することができる。
【００１６】
請求項３に係る本発明によれば、請求項１又は２に係る本発明の効果に加えて、第２の対象機器に第１の通信方式の認証データを合わせて送信することができる。
【００１７】
請求項５に係る本発明によれば、請求項４に係る発明の効果に加えて、第１の通信方式の認証データを合わせて受信することができる。
【図面の簡単な説明】
【００１８】
【図１】本発明の実施形態に係る送受信システム全体を示す概略図である。
【図２】本発明の実施形態に用いた端末装置のハードウエア構成を示すブロック図である。
【図３】本発明の実施形態に用いた対象機器のハードウエア構成を示すブロック図である。
【図４】本発明の実施形態における端末装置と対象機器との動作フローを示すシーケンス図である。
【図５】本発明の実施形態における端末装置と対象機器との時間的な動作フローを示すタイミングチャートである。
【図６】比較例に係る端末装置と対象機器との時間的な動作フローを示すタイミングチャートである。
【発明を実施するための形態】
【００１９】
次に、本発明の実施の形態について図面を参照して詳細に説明する。
図１は、本発明の実施形態に係る送受信システム１０の動作フローを含めた構成を示す。
【００２０】
送受信システム１０は、端末装置１２と、この端末装置１２と無線通信可能な例えば３台の対象機器１４ａ〜１４ｃとの間でデータを送受信するシステムである。端末装置１２は、例えばスマートフォン、パーソナルコンピュータ等である。対象機器１４ａ〜１４ｃは、例えば画像形成装置であり、さらに詳しくは、プリント機能、ファクシミリ機能、コピー機能、スキャン機能等を有する、いわゆる複合機である。
【００２１】
この実施形態においては、端末装置１２から対象機器１４ａ〜１４ｃへデータをダウンロードする。データの種類は問わないが、この実施形態においては、対象機器１４ａ〜１４ｃへファームウエアをダウンロードする例について説明する。
【００２２】
ここで、ファームウエアとは、対象機器１４ａ〜１４ｃの動作を制御するためのプログラムであり、対象機器１４ａ〜１４ｃの機能改善や障害対応等、アップデートするためにダウンロードする場合がある。このダウンロードするファームウエアをダウンロードデータという。
【００２３】
まず端末装置１２は、第１の対象機器１４ａにダウンロードデータと第１の通信方式の認証情報（ＷｉＦｉの認証情報）を第２の通信方式で送信する。第１の通信方式は、例えばＷｉＦｉ（登録商標）である。ＷｉＦｉとは、ＩＥＥＥ８０２．１１規格によって制定された無線通信の一方式である。また、第２の通信方式は、第１の通信方式よりも指向性があり、且つ高速であり、例えばＷｉＧｉｇ（Wireless Gigabit、ワイギグ、登録商標である）が用いられる。ＷｉＧｉｇとは、ＩＥＥＥ８０２．１１ａｄで規格化された無線通信の一方式である。
【００２４】
次に端末装置１２は、第１の対象機器１４ａからダウンロードデータの受信完了通知とチェックサムを受信する。チェックサムとは、送信するデータをブロック毎に区切り、それぞれを符号化して加算値を送信し、受信側でも同様に方法で加算し、求められた値が届いた値と等しければデータが正しく送信したことになる送信確認データである。
【００２５】
次に端末装置１２は、第２の対象機器１４ｂにダウンロードデータと第１の通信方式の認証情報を第２の通信方式であるＷｉｇｉｇで送信する。第１の対象機器１４ａにおいては、チェックサムを端末装置１２に送信した後に、自身の記憶装置のデータ削除、データ書込み、データ検証を実行する。データ検証については後で詳述する。
【００２６】
次に端末装置１２は、第２の対象機器１４ｂからダウンロードデータの受信完了通知とチェックサムを受信する。また、端末装置１２は、この第２の対象機器１４ｂからダウンロードデータの受信完了通知とチェックサムを受信する前、又は受信した後に第１の対象機器１４ａからダウンロードが完了したか否かを示す記憶確認情報を受信する。この記憶確認情報の送受信は、第１の通信方式であるＷｉ−Ｆｉで行う。
【００２７】
次に端末装置１２は、第３の対象機器１４ｃにダウンロードデータと第１の通信方式の認証情報を第２の通信方式であるＷｉｇｉｇで送信する。第１の対象機器１４ａにおいては、チェックサムを端末装置１２に送信した後に、自身の記憶装置のデータ削除、データ書込み、データ検証を実行する。
【００２８】
次に端末装置１２は、第３の対象機器１４ｃからダウンロードデータの受信完了通知とチェックサムを受信する。また、端末装置１２は、この第３の対象機器１４ｃからダウンロードデータの受信完了通知とチェックサムを受信する前、又は受信した後に第２の対象機器１４ｂからダウンロードが完了したか否かを示す記憶確認情報を受信する。この記憶確認情報の送受信は、第１の通信方式であるＷｉ−Ｆｉで行う。
【００２９】
この実施形態においては、対象機器１４ａ〜１４ｃにファームウエアをダウンロードする場合に、例えば第１の対象機器１４ａの記憶確認情報を待つことなく、第２の対象機器１４ｂへのダウンロードを開始する。
【００３０】
図２は、端末装置１２のハードウエア構成を示す。
【００３１】
端末装置１２は、制御本体部１６を有する。この制御本体部１６は、ＣＰＵ１８、メモリ２０、記憶装置２２、ＷｉＦｉ通信インターフェイス２４、ＷｉＧｉｇ通信インターフェイス２６及び表示操作装置インターフェイス２８を有し、これらＣＰＵ１８、メモリ２０、記憶装置２２、ＷｉＦｉ通信インターフェイス２４、ＷｉＧｉｇ通信インターフェイス２６及び表示操作装置インターフェイス２８がバス３０を介して接続されている。
【００３２】
ＣＰＵ１８は、メモリ２０に格納された制御プログラムに基づいて予め定められた処理を実行する。メモリ２０は、ＲＡＭ（Ｒａｎｄｏｍ  Ａｃｃｅｓｓ  Ｍｅｍｏｒｙ）等の揮発性メモリである。記憶装置２２は、例えばフラッシュメモリ、ハードディスク等の不揮発性メモリから構成され、必要とされるソフトウエアやデータが記憶されている。ここでは、対象機器１４ａ〜１４ｃにインストールするためのダウンロードデータが記憶されている。ＷｉＦｉ通信インターフェイス２４には、ＷｉＦｉ通信部３２が接続されてＷｉＦｉ通信ができるようになっている。ＷｉＧｉｇ通信インターフェイス２６にはＷｉＧｉｇ通信部３４が接続されてＷｉＧｉｇ通信ができるようになっている。表示操作装置インターフェイス２８には、表示操作装置３６が接続されている。表示操作装置３６は、例えばタッチパネルと液晶ディスプレイが組み合わせて構成されている。
【００３３】
図３は、対象機器１４ａ〜１４ｃのハードウエア構成を示す。
【００３４】
対象機器１４ａ〜１４ｃは、制御本体部３８を有する。この制御本体部３８は、ＣＰＵ４０、メモリ４２、記憶装置４４、ＷｉＦｉ通信インターフェイス４６、ＷｉＧｉｇ通信インターフェイス４８、表示操作装置インターフェイス５０及び機器制御部インターフェイス５２を有し、これらＣＰＵ４０、メモリ４２、記憶装置４４、ＷｉＦｉ通信インターフェイス４６、ＷｉＧｉｇ通信インターフェイス４８、表示操作装置インターフェイス５０及び機器制御部インターフェイス５２がバス５４を介して接続されている。
【００３５】
ＣＰＵ４０は、メモリ４２に格納された制御プログラムに基づいて予め定められた処理を実行する。メモリ４２は、ＲＡＭ等の揮発性メモリである。このメモリ４２にデータが一時的に記憶される。記憶装置４４は、例えばフラッシュメモリ、ハードディスク等の不揮発性メモリから構成され、必要とされるソフトウエアやデータが記憶されている。ＷｉＦｉ通信インターフェイス４６には、ＷｉＦｉ通信部５６が接続されてＷｉＦｉ通信ができるようになっている。ＷｉＧｉｇ通信インターフェイス４８にはＷｉＧｉｇ通信部５８が接続されてＷｉＧｉｇ通信ができるようになっている。表示操作装置インターフェイス５０には、表示操作装置６０が接続されている。表示操作装置６０は、例えばタッチパネルと液晶ディスプレイが組み合わせて構成されている。機器制御部インターフェイス５２には機器制御部６２が接続されている。この機器制御部６２は、対象機器１４ａ〜１４ｃにおける機器、例えば画像形成部の各機器を制御する。
【００３６】
図４は、端末装置１２と対象機器１４ａ〜１４ｃとの動作フローを示すシーケンス図である。
【００３７】
まずステップＳ１０において、端末装置１２は、ダウンロードデータを第１の対象機器１４ａに送信する。このダウンロードデータの送信は、ＷｉＧｉｇにより行う。ステップＳ１２において、第１の対象機器１４ａは、ダウンロードデータを受信し、メモリ４２に書き込む。また、ステップＳ１４において、端末装置１２は、ＷｉＦｉ認証情報を第１の対象機器１４ａに送信する。このＷｉＦｉ認証情報の送信は、ＷｉＧｉｇにより行う。ステップＳ１６において、第１の対象機器１４ａは、端末装置１２から送信されたＷｉＦｉ認証情報を受信する。これにより端末装置１２と第１の対象機器１４ａとは、ＷｉＦｉ通信が可能となる。
【００３８】
次のステップＳ１８においては、第１の対象機器１４ａは、チェックサム値を算出し、この算出されたチャックサム値を端末装置１２に返信する。ステップＳ２０において、端末装置１２は、返信されたチェックサム値が送信時に算出したチェックサム値と等しいか否かを判定する。このステップＳ２０において、チェックサム値が正しくないと判定された場合は、ステップＳ１０に戻り、第１の対象機器１４ａに再度ダウンロードデータを送信する。一方、ステップＳ２０において、チェックサム値が正しいと判定された場合は、ステップＳ２２に進み、端末装置２０は、ＷｉＧｉｇにより第２の対象機器１４ｂにダウンロードデータを送信する。ステップＳ２４においては、第２の対象機器１４ｂは、ダウンロードデータを受信し、メモリ４２に書き込む。また、ステップＳ２６において、端末装置１２は、ＷｉＦｉ認証情報を第２の対象機器１４ａに送信する。このＷｉＦｉ認証情報の送信は、ＷｉＧｉｇにより行う。ステップＳ２８において、第２の対象機器１４ｂは、端末装置１２から送信されたＷｉＦｉ認証情報を受信する。これにより端末装置１２と第２の対象機器１４ｂとは、ＷｉＦｉ通信が可能となる。
【００３９】
第１の対象機器１４ａは、ステップＳ１８によりダウンロードデータのチェックサム値を算出し、この算出されたチェックサム値を端末装置１２に返信すると、次のステップＳ３０に進む。このステップＳ３０においては、記憶装置４４に記憶されていたデータを削除する。次のステップＳ３２において、第１の対象機器１４ａは、メモリ４２に記憶されたダウンロードデータを記憶装置４４に書き込む。なお、記憶装置４４がフラッシュメモリの場合は、ステップＳ３０の削除処理が必要であるが、記憶装置４４がハードディスクであれば、ステップＳ３０の削除処理は必要がなく、ステップＳ３２の書込み処理を行えばよい。
【００４０】
次のステップＳ３４において、第１の対象機器１４ａは、ベリファイ処理を行う。ベリファイ処理とは、記憶装置４４にデータが誤り無く記憶されたか否かを確認する処理であり、ここでは、記憶装置４４に記憶されたダウンロードデータを読み出し、メモリ４２に記憶されているダウンロードデータと比較する。
【００４１】
次のステップＳ３６において、第１の対象機器１４ａは、ベリファイ処理の結果情報（記憶装置４４にダウンロードデータが誤り無く記憶されたか否かを示す記憶確認情報）をダウンロード終了通知として端末装置１２に送信し、ステップＳ３８において、端末装置１２は記憶確認情報を受信し、記憶装置４４にダウンロードデータが誤り無く記憶されたか否かに関わらず、第１の対象機器１４ａに対する処理を終了する。このダウンロード終了通知は、Ｗｉｆｉにより行う。
【００４２】
前述したように、ＷｉＧｉｇはＷｉｆｉと比較して指向性が強い。したがって、ステップＳ２２において、ＷｉＧｉｇによりダウンロードデータを第２の対象機器１４ｂに送信する場合は、端末装置１２は第２の対象機器１４ｂの近くからダウンロードを行う必要があり、第１の対象装置１４ａから離れることになる。そのため、第１の対象機器１４ａからはＷｉｇｉｇでダウンロード終了通知を端末装置１２に送信することができない可能性があるので、ＷｉＦｉでダウンロード終了通知を端末装置１２に送信することにしている。
【００４３】
第２の対象機器１４ｂは、ステップＳ２６の処理が終了すると、ステップＳ４０に進み、チェックサム値を算出し、この算出したチェックサム値を端末装置１２に送信する。端末装置１２は、ステップＳ４２において、チェックサム値が正しいが否かを判定し、正しくない場合はステップＳ２２に戻り、正しい場合は、次のステップＳ４４、Ｓ４６において、第３の対象機器１４ｃにダウンロードデータとＷｉＦｉ認証情報をＷｉＧｉｇにより送信し、以下繰り返す。
【００４４】
なお、端末装置１２は、ステップＳ３８において、記憶装置４４にダウンロードできなかった旨の記憶確認情報を受けた場合は、直ちに第１の対象機器１４ａへのダウンロードを再度行うようにしてもよいし、全ての対象機器へのダウンロードが終了した後に再度行うようにしてもよい。
【００４５】
図５は、本発明の実施形態に係る端末装置１２と対象機器１４ａ〜１４ｃとの時間的な動作フローを示す。
【００４６】
端末装置１２は、第１の対象機器１４ａからチェックサム値を受信した後、すぐに第２の対象機器１４ｂにダウンロードデータとＷｉＦｉ認証情報を送信する。この間、第１の対象機器１４ａにおいては、ダウンロードデータの書き込み（記憶装置のデータ消去、ダウンロードデータの記憶装置への書き込み、ベリファイ処理）を実行する。
【００４７】
一方、図６は、比較例に係る端末装置１２と対象機器１４ａ〜１４ｃとの時間的な動作フローを示す。
【００４８】
この比較例においては、端末装置１２は、第１の対象機器１４ａから完了通知の受信を待って第２の対象機器１４ｂへダウンロードデータを送信するようにしている。したがって、端末装置１２には、第１の対象機器１４ａへダウンロードデータを送信してから第２の対象機器１４ｂへダウンロードデータを送信するまでの間、第１の対象機器１４ａがダウンロードデータの書き込み（記憶装置のデータ消去、ダウンロードデータの記憶装置への書き込み、ベリファイ処理）の時間に相当する送信待ち時間が生じる。
【００４９】
したがって、本発明の実施形態と比較例とを比較すると、本発明の実施形態は、ダウンロードデータの書き込み時間に相当する送信待ち時間が短くなる。
【００５０】
なお、上記実施形態においては、対象機器を画像形成装置としたが、本発明はこれに限定されるものではなく、例えばロボットや電気製品を対象機器とすることができる。
【符号の説明】
【００５１】
１０    送受信システム
１２    端末装置
１４ａ  第１の対象機器
１４ｂ  第２の対象機器
１４ｃ  第３の対象機器
１６    端末装置の制御本体部
１８    端末装置のＣＰＵ
２０    端末装置のメモリ
２２    端末装置の記憶装置
２４    端末装置のＷｉＦｉ通信インターフェイス
２６    端末装置のＷｉＧｉｇ通信インターフェイス
２８    端末装置の表示操作装置インターフェイス
３０    端末装置のバス
３２    端末装置のＷｉＦｉ通信部
３４    端末装置のＷｉＧｉｇ通信部
３６    端末装置の表示操作装置
３８    対象機器の制御本体部
４０    対象機器のＣＰＵ
４２    対象機器のメモリ
４４    対象機器の記憶装置
４６    対象機器のＷｉＦｉ通信インターフェイス
４８    対象機器のＷｉＧｉｇ通信インターフェイス
５０    対象機器の表示操作装置インターフェイス
５２    対象機器の機器制御部インターフェイス
５４    対象機器のバス
５６    対象機器のＷｉＦｉ通信部
５８    対象機器のＷｉＧｉｇ通信部
６０    対象機器の表示操作装置
６２    対象機器の機器制御部
【図１】
2020057909.tif 000003
【図２】
2020057909.tif 000004
【図３】
2020057909.tif 000005
【図４】
2020057909.tif 000006
【図５】
2020057909.tif 000007
【図６】
2020057909.tif 000008